(57)【要約】  脊椎ケージ（１０）は、ヒンジ（１６）によって第２の支持板（１４）に枢動可能に接続された第１の支持板（１２）と、アクチュエータ（２２）によって作動され、第１の支持板（１２）と第２の支持板（１４）との間に位置する板移動機（１８）と、を含む。板移動機（１８）は、第１の支持板（１２）上の傾斜表面（２０）に接してスライドするように構成されている。ヒンジ（１６）が、第１の支持板（１２）から突出するヒンジハウジング（２６）に形成された細長い穴（２４）内に軸支されており、ヒンジ（１６）は、細長い穴（２４）内で自由に並進運動および回転することができる。【選択図】図１
2019509829.tif 000002
【特許請求の範囲】
【請求項１】
脊椎ケージ（１０）であって、
ヒンジ（１６）によって第２の支持板（１４）に枢動可能に接続された第１の支持板（１２）と、
アクチュエータ（２２）によって作動され、前記第１の支持板（１２）と前記第２の支持板（１４）との間に位置する板移動機（１８）であって、前記板移動機（１８）は、前記第１の支持板（１２）上の傾斜表面（２０）に接してスライドするように構成されている、板移動機（１８）と、
を含む、脊椎ケージ（１０）において、
第１の支持板（１２）から突出するヒンジハウジング（２６）に形成された細長い穴（２４）内に軸支されており、前記細長い穴（２４）内で自由に並進運動および回転することができるヒンジ（１６）を特徴とする、脊椎ケージ（１０）。
【請求項２】
前記ヒンジ（１６）および／または前記第１の支持板（１２）に向かって付勢される１つまたは複数の支持部材（２８）をさらに含む、請求項１に記載の脊椎ケージ（１０）。
【請求項３】
前記１つまたは複数の支持部材（２８）は、付勢装置（３０）によって付勢される、請求項２に記載の脊椎ケージ（１０）。
【請求項４】
前記傾斜表面（２０）は、その種々の部分に種々の斜面を有する、請求項１に記載の脊椎ケージ（１０）。
【請求項５】
前記板移動機（１８）は、その種々の部分に種々の斜面を有する、請求項１に記載の脊椎ケージ（１０）。
【請求項６】
前記第１の支持板（１２）および／または前記第２の支持板（１４）から延びる１つまたは複数のキール（３２）をさらに含む、請求項１に記載の脊椎ケージ（１０）。
【請求項７】
前記第１の支持板（１２）が上を移動する内側傾斜路（４０）をさらに含む、請求項１に記載の脊椎ケージ（１０）。
【請求項８】
近位漏斗（４３）を備えたアプリケーターツール（４２）と、前記アプリケーターツール（４２）を通過する調節ツール（４４）と、をさらに含む、請求項１に記載の脊椎ケージ（１０）。
【発明の詳細な説明】
【技術分野】
【０００１】
本発明は、概して脊椎インプラントおよびプロテーゼに関し、特に、例えばスライド可能なヒンジを備えた、拡張可能かつ回転可能な脊椎ケージに関する。
【背景技術】
【０００２】
種々のタイプの脊椎変性が、人口のかなりの部分に影響を与えている。現在の外科的治療は、２つの隣接した椎骨間に設置される椎間ケージの使用を何度も伴う。
解剖学的構造が症例ごとに異なるため、また、小さいインプラントを挿入することは大きいインプラントを設置するより常に容易であるため、小さい構成で椎骨間に挿入され解剖学的構造に適合するようその位置で調節され得るケージが、明らかに必要である。
【発明の概要】
【発明が解決しようとする課題】
【０００３】
本発明は、例えば、収縮構成で取り付けられた後で２つの椎骨間の前弯角度を制御することができる、改善された拡張可能な脊椎ケージを提供しようとするものである。
【課題を解決するための手段】
【０００４】
本発明の一実施形態では、拡張可能なケージは、以下でさらに詳細に説明するように、スライド可能に支持されたヒンジを有する。
よって、本発明の非限定的な実施形態によると、ヒンジによって第２の支持板に枢動可能に接続された第１の支持板と、アクチュエータによって作動され、第１の支持板と第２の支持板との間に位置する板移動機であって、第１の支持板上の傾斜表面に接してスライドするように構成されている、板移動機と、第１の支持板から突出するヒンジハウジングに形成された細長い穴内に軸支されており、細長い穴内で自由に並進運動および回転することができるヒンジと、を含む、脊椎ケージが提供される。
【０００５】
本発明のある実施形態によると、１つまたは複数の支持部材が、ヒンジおよび／または第１の支持板に向かって付勢される。１つまたは複数の支持部材は、付勢装置によって付勢され得る。
【０００６】
本発明のある実施形態によると、傾斜表面は、その種々の部分に種々の斜面を有する。
本発明のある実施形態によると、板移動機は、その種々の部分に種々の斜面を有する。
本発明のある実施形態によると、１つまたは複数のキールが第１の支持板および／または第２の支持板から延びる。
【０００７】
本発明のある実施形態によると、内側傾斜路が設けられ、その上を第１の支持板が移動する。
本発明は、図面と併せて理解される以下の詳細な説明からさらに十分に理解および認識されるであろう。
【図面の簡単な説明】
【０００８】
【図１】本発明の非限定的な実施形態に従って構築され動作可能である、初期の収縮構成にある脊椎ケージを絵で表す簡略図である。
【図２】ケージが（例えば、所望の高さおよび前弯角度を達成するために）新たな高さおよび傾斜角まで持ち上げられ傾斜されている、拡張構成にある図１のケージを絵で表す簡略図である。
【図３】ケージが（例えば、所望の高さおよび前弯角度を達成するために）新たな高さおよび傾斜角まで持ち上げられ傾斜されている、拡張構成にある図１のケージの簡略端面図である。
【図４】本発明の別の非限定的な実施形態に従って構築され動作可能である、初期の収縮構成にある脊椎ケージを絵で表す簡略図である。
【図５】収縮構成にある図４のケージの簡略端面図である。
【図６】高さが拡張した構成にある図４のケージの簡略端面図である。
【図７】高さが拡張したことに加えて傾斜した構成にある図４のケージの簡略端面図である。
【図８】板が互いに対して傾斜および移動する様式を決定する、ケージ内の内側傾斜路を絵で表す簡略図である。
【図９】板が互いに対して傾斜および移動する様式を決定する、ケージ内の内側傾斜路の簡略側面図である。
【図１０】本発明の非限定的な実施形態に従って構築され動作可能である、脊椎ケージを取り付けるためのアプリケーターツールおよび調節ツールを絵で表す簡略図である。
【発明を実施するための形態】
【０００９】
本発明の非限定的な実施形態に従って構築され動作可能である脊椎ケージ１０を示す、図１〜図３を参照する。
脊椎ケージ１０は、第１の支持板１２および第２の支持板１４を含み、これらは、最初は互いに平行であってよい（しかし必ずしもそうでなくてもよい）。第１の支持板１２は、ヒンジ１６によって第２の支持板１４に枢動可能に接続される。板移動機１８が、第１の支持板１２と第２の支持板１４との間に位置する。板移動機１８は、傾斜表面、または平坦であるかもしくは湾曲していてよい（任意の幾何学的形状）他の適切な押圧構造体を備えた楔であってよい。板移動機１８は、第１の支持板１２（例えばその下側）における（任意の幾何学的形状を有する）傾斜表面２０に接してスライドするように構成される。以下で説明するように、板移動機１８が傾斜表面２０に接してスライドする動作により、第１の支持板１２は、第２の支持板１４に対して持ち上げられ、かつ／または傾斜される。
【００１０】
傾斜表面２０（ならびに板移動機１８）は、その長さまたは幅に沿った種々の部分に（深さ、角度、長さ、形状、サイズ等の点で）種々の斜面を有し得る。
板移動機１８は、リニアアクチュエータ（例えば、第２の支持板１４から突出する突起の中を通り抜ける制御ねじ）などのアクチュエータ２２によって作動され得る。アクチュエータ２２は、（例えば、制御ねじの頭部と噛み合う適切なねじ回しを回すことによって）手で操作されるか、または、自動で操作され得る（例えば、アクチュエータ２２は、制御ループにおけるセンサーからのフィードバックなどにより、制御ねじを回す、局所的もしくは遠隔的に操作されるモーターであってよい）。
【００１１】
ヒンジ１６は、第１の支持板１２から突出するヒンジハウジング２６に形成された細長い穴２４（例えば、卵形または楕円形の穴）内に軸支される。ヒンジ１６は、細長い穴２４内で自由に並進運動および回転することができる。
【００１２】
本発明の非限定的な実施形態によると、１つまたは複数の支持部材２８が、ヒンジ１６および／または第１の支持板１２に向かって付勢され得る。支持部材２８は、可撓性材料で作られてよく、または、付勢装置３０（例えば、板ばねもしくはコイルばね）によって押され得る。最初は、脊椎ケージ１０がその収縮構成にあるとき、支持部材２８は、単にヒンジ１６および／または第１の支持板１２に当接する。第１の支持板１２が第２の支持板１４に対して持ち上げられ、かつ／または傾斜された後、隙間がヒンジ１６と第２の支持板１４との間および／または第１の支持板１２と第２の支持板１４との間に形成され、支持部材２８は、付勢力によってこの隙間内へと押し込まれる。このように、支持部材２８は、第１の支持板１２を（持ち上げられ、かつ／または傾斜された）その拡張構成に支持および維持する。１つまたは複数の支持部材２８は、（例えば、ピボットを中心として）並進運動および／または回転して移動し得る。
【００１３】
次に、第１の支持板１２および／または第２の支持板１４から（例えば、直角に）延びる１つまたは複数のキール３２を備えた脊椎ケージ１０を示す、図４〜図７を参照する。キール３２は、脊椎構造内でのケージの適切な取り付け向きを確実にするために使用され得る。図５〜図７は、それぞれ、収縮構成、高さが拡張した構成、および高さが拡張したことに加え傾斜した構成にある、ケージ１０を示す。
【００１４】
次に、板１２および１４が互いに対して傾斜および移動する様式を決定する、第１の支持板１２が上を移動するケージ１０内の１つまたは複数の内側傾斜路４０を示す、図８および図９を参照する。傾斜路４０は、傾斜表面２０として役立つか、または、別の傾斜表面に加えるものであってよい。例示された実施形態に見られるように、傾斜路のうちの１つの傾斜部分は、傾斜路のうちの別のものとは異なる長さ、高さ、形状または角度を有し得る。ヒンジおよび第１の支持板は、ヒンジが細長い穴内でその最高位置に到達するまで、傾斜路のうちの１つの上で上方にスライドし得る。その後、スライドは、その他の１つまたは複数の傾斜路上で続けられ、第１の支持板の傾斜を引き起こす。よって、傾斜路は、所望の前弯角度を達成するのに役立つ。
【００１５】
次に、本発明の非限定的な実施形態に従って構築され動作可能である、脊椎ケージを取り付けるためのアプリケーターツール４２および調節ツール４４を絵で表す簡略図である図１０を参照する。
【００１６】
アプリケーターツール４２は、近位漏斗４３を備えた管であってよい。調節ツール４４は、例えばアクチュエータを回すためのねじ回しであってよい。ケージ１０は、（雄雌接続、ねじ接続、または任意の他の適切な接続によるなどして）アプリケーターツール４２の遠位部分に取り付けられ得る。アプリケーターツール４２は、椎間板腔または他の構造への挿入中にケージ１０を把持する。調節ツール４４は、アプリケーターツール４２の管を通って挿入されてアクチュエータに到達することができる。ケージ１０がその位置で拡張した後、調節ツール４４は取り外される。第１の支持板を持ち上げるか、または傾斜させた後、骨グラフト、コラーゲン、または他の材料が、脊椎ケージ内に、第１の支持板の下などで加えられ得る。
【図１】
2019509829.tif 000003
【図２】
2019509829.tif 000004
【図３】
2019509829.tif 000005
【図４】
2019509829.tif 000006
【図５】
2019509829.tif 000007
【図６】
2019509829.tif 000008
【図７】
2019509829.tif 000009
【図８】
2019509829.tif 000010
【図９】
2019509829.tif 000011
【図１０】
2019509829.tif 000012
【国際調査報告】
2019509829.tif 000013
2019509829.tif 000014
2019509829.tif 000015